(57)【要約】【課題】画面をスクロールさせるためのジェスチャが別の処理のためのジェスチャと誤って判定される可能性を低減すること。【解決手段】１つの態様において、電子機器（例えば、スマートフォン）１は、タッチスクリーンディスプレイ２と、コントローラ１０とを備える。タッチスクリーンディスプレイ２は、スクロール可能な第１画面を表示する。コントローラ１０は、第１画面の表示部分に、第２画面を表示させるための第１オブジェクトが含まれる場合に、第１画面をスクロールするための第２オブジェクトをタッチスクリーンディスプレイ２に表示させる。【選択図】図４
2014164719.tif 000002
【特許請求の範囲】
【請求項１】
スクロール可能な第１画面を表示するタッチスクリーンディスプレイと、
前記第１画面の表示部分に、第２画面を表示させるための第１オブジェクトが含まれる場合に、前記第１画面をスクロールするための第２オブジェクトを前記タッチスクリーンディスプレイに表示させるコントローラと
を備える電子機器。
【請求項２】
前記コントローラは、前記第１画面の表示部分に、前記第１オブジェクトが含まれない場合、前記第２オブジェクトを前記タッチスクリーンディスプレイに表示させない請求項１に記載の電子機器。
【請求項３】
前記コントローラは、前記第１画面の表示部分における前記第１オブジェクトの割合が閾値よりも高い場合に、前記第２オブジェクトを前記タッチスクリーンディスプレイに表示させる請求項１又は２に記載の電子機器。
【請求項４】
前記コントローラは、前記第１画面のスクロール中は、前記第２オブジェクトを表示している状態、又は前記第２オブジェクトを表示していない状態を維持する請求項１から３のいずれか１項に記載の電子機器。
【請求項５】
前記コントローラは、前記第１画面のスクロールが完了したときに、前記第１画面の表示部分に応じて、前記第２オブジェクトの表示を制御する請求項４に記載の電子機器。
【請求項６】
前記コントローラは、前記第１画面のスクロールが完了したときに、前記第２オブジェクトを表示している状態、又は前記第２オブジェクトを表示していない状態を所定の時間維持する請求項５に記載の電子機器。
【請求項７】
タッチスクリーンディスプレイを備えた電子機器の制御方法であって、
スクロール可能な第１画面を前記タッチスクリーンディスプレイに表示させるステップと、
前記第１画面の表示部分に、第２画面を表示させるための第１オブジェクトが含まれる場合に、前記第１画面をスクロールするための第２オブジェクトを前記タッチスクリーンディスプレイに表示させるステップと
を含む制御方法。
【請求項８】
タッチスクリーンディスプレイを備えた電子機器に、
スクロール可能な第１画面を前記タッチスクリーンディスプレイに表示させるステップと、
前記第１画面の表示部分に、第２画面を表示させるための第１オブジェクトが含まれる場合に、前記第１画面をスクロールするための第２オブジェクトを前記タッチスクリーンディスプレイに表示させるステップと
を実行させる制御プログラム。
【発明の詳細な説明】
【技術分野】
【０００１】
本出願は、電子機器、制御方法、及び制御プログラムに関する。特に、本出願は、タッチスクリーンを有する電子機器、その電子機器を制御する制御方法、及びその電子機器を制御するための制御プログラムに関する。
【背景技術】
【０００２】
タッチスクリーンディスプレイを備えるタッチスクリーンデバイスが知られている。タッチスクリーンデバイスは、例えば、スマートフォン及びタブレットを含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【先行技術文献】
【特許文献】
【０００４】
【特許文献１】国際公開第２００８／０８６３０２号
【発明の概要】
【発明が解決しようとする課題】
【０００５】
タッチスクリーンデバイスには、タッチスクリーンディスプレイに対するジェスチャに応じて、タッチスクリーンディスプレイに表示している画面をスクロールさせるものがある。ところが、画面には、スクロール以外のジェスチャに対する処理が割り当てられていることがある。このため、利用者が画面をスクロールさせるためのジェスチャを行おうとしたにも関わらず、タッチスクリーンデバイスが、画面に表示されたオブジェクトに割り当てられた他の処理を実行してしまうことがある。
【０００６】
このような理由から、画面をスクロールさせるためのジェスチャが別の処理のためのジェスチャと誤って判定される可能性を低減することができる電子機器、制御方法及び制御プログラムに対するニーズがある。
【課題を解決するための手段】
【０００７】
１つの態様に係る電子機器は、スクロール可能な第１画面を表示するタッチスクリーンディスプレイと、前記第１画面の表示部分に、第２画面を表示させるための第１オブジェクトが含まれる場合に、前記第１画面をスクロールするための第２オブジェクトを前記タッチスクリーンディスプレイに表示させるコントローラとを備える。
【０００８】
１つの態様に係る制御方法は、タッチスクリーンディスプレイを備えた電子機器の制御方法であって、スクロール可能な第１画面を前記タッチスクリーンディスプレイに表示させるステップと、前記第１画面の表示部分に、第２画面を表示させるための第１オブジェクトが含まれる場合に、前記第１画面をスクロールするための第２オブジェクトを前記タッチスクリーンディスプレイに表示させるステップとを含む。
【０００９】
１つの態様に係る制御プログラムは、タッチスクリーンディスプレイを備えた電子機器に、スクロール可能な第１画面を前記タッチスクリーンディスプレイに表示させるステップと、前記第１画面の表示部分に、第２画面を表示させるための第１オブジェクトが含まれる場合に、前記第１画面をスクロールするための第２オブジェクトを前記タッチスクリーンディスプレイに表示させるステップとを実行させる。
【図面の簡単な説明】
【００１０】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、第１オブジェクト及び第２オブジェクトの例を示す図である。
【図６】図６は、スマートフォンによる表示制御の例を示す図である。
【図７】図７は、スマートフォンによる表示制御の処理手順の例を示すフローチャートである。
【図８】図８は、第２オブジェクトの第１の変形例を示す図である。
【図９】図９は、第２オブジェクトの第２の変形例を示す図である。
【発明を実施するための形態】
【００１１】
本発明を実施するための実施形態を、図面を参照しつつ詳細に説明する。以下では、タッチスクリーンを備える電子機器の例として、スマートフォンについて説明する。
【００１２】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１８】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１９】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２４】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２５】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２６】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２７】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００２８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３０】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３１】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３２】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３３】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３６】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定に関する情報を含む。
【００３７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。
【００３８】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００４０】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４１】
カメラ１２は、フロントフェイス１Ａに面している物体を撮影するインカメラである。カメラ１３は、バックフェイス１Ｂに面している物体を撮影するアウトカメラである。
【００４２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００４４】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４５】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４６】
図５及び図６を参照しながら、スマートフォン１による表示制御の例について説明する。スマートフォン１は、画面の表示部分における第１オブジェクトの状態に基づいて、第２オブジェクトの表示を制御する。画面の表示部分とは、ディスプレイ２Ａの表示範囲に収まらない画面のうち、ディスプレイ２Ａの表示範囲内の部分である。スマートフォン１では、ディスプレイ２Ａの表示範囲内に含まれる画面の一部が表示される。ここでは、例えば、いずれかの方向における長さがディスプレイ２Ａの表示範囲よりも長い画面であれば、ディスプレイ２Ａの表示範囲に収まらない画面として判断する。スマートフォン１では、ディスプレイ２Ａの表示範囲に収まらなかった画面を、表示範囲を移動することで表示可能である。第１オブジェクトとは、画面に配置されているオブジェクトのうち、操作によって所定の処理が実行されるイベントが割り当てられているオブジェクトである。以下の説明では、第１オブジェクトには、他の画面を表示するイベントが割り当てられているものとする。ここでは、表示されている画面と異なる画面への遷移する場合、表示されている画面に新たな画面を追加する場合を、他の画面の表示として判断する。第２オブジェクトとは、表示範囲のスクロール機能が割り当てられているオブジェクトである。
【００４７】
図５は、第１オブジェクト及び第２オブジェクトの例を示す図である。図５に示す例では、スクロール可能な画面である画面４５が、ディスプレイ２Ａに表示されている。スクロール可能な画面とは、ディスプレイ２Ａよりも大きな領域をもつ画面である。画面４５の表示部分は、スクロール操作に応じて変化する。
【００４８】
画面４５は、画像４５ａ、テキスト４５ｂ等のオブジェクトを含む。画像４５ａ、テキスト４５ｂ等のオブジェクトの全体又は一部は、他の画面を表示するための第１オブジェクトとして機能する。画像４５ａ及びテキスト４５ｂに加えて、ボタン、アイコン等の各種のオブジェクトが、第１オブジェクトとして機能することがある。
【００４９】
画像４５ａ、テキスト４５ｂ等のオブジェクトが、第１オブジェクトとして機能する領域４６は、スマートフォン１によって決定される。オブジェクトが第１オブジェクトとして機能する領域４６は、オブジェクトが表示される領域とほぼ重なるように設定される。利用者の操作を容易にするために、オブジェクトが第１オブジェクトとして機能する領域４６は、オブジェクトが表示される領域よりも広く設定されてもよい。スマートフォン１は、第１オブジェクトとして機能する領域４６に対する所定のジェスチャを検出すると、第１オブジェクトに対応付けられた他の画面を表示する。
【００５０】
例えば、画面４５がＨＴＭＬ（HyperText Markup Language）形式のデータに基づいて表示されるＷＥＢページである場合、スマートフォン１は、ＨＴＭＬ形式のデータに含まれるアンカータグに基づいて、第１オブジェクトとして機能する領域４６を決定する。さらに、スマートフォン１は、ＨＴＭＬ形式のデータに含まれるアンカータグの属性等に基づいて、第１オブジェクトとして機能する領域４６に対する入力を受け付けた場合に表示する画面を決定する。スマートフォン１は、第１オブジェクトとして機能する領域４６において所定のジェスチャが検出されると、第１オブジェクトとして機能する領域４６に対する入力として受け付ける。
【００５１】
画面４５の表示部分における第１オブジェクトとして機能する領域４６とその他の領域との割合は、ディスプレイ２Ａの大きさ及び縦横比、画面４５の表示倍率、表示部分が画面４５に占める位置及び範囲等に応じて変動する。図５に示す例では、画面４５の表示部分のうち、画像４５ａ及びテキスト４５ｂの周囲の破線で囲んだ領域が第１オブジェクトとして機能する領域４６である。
【００５２】
図５に示す例では、画面４５の表示部分における第１オブジェクトとして機能する領域４６の割合が高い。このため、利用者が画面４５をスクロールさせるためのジェスチャをタッチスクリーン２Ｂに対して行うと、第１オブジェクトとして機能する領域４６を誤ってタッチしてしまい、意図せずに他の画面が表示される可能性がある。
【００５３】
そこで、スマートフォン１は、画面４５の表示部分における第１オブジェクトとして機能する領域４６の割合が高い場合に、画面４５をスクロールさせるための第２オブジェクトをディスプレイ２Ａに表示する。図５に示す例では、第２オブジェクトは、画面４５の右端寄りに表示された縦方向のスクロールバー６０である。
【００５４】
スクロールバー６０は、スライダ６２を含む。スライダ６２は、画面４５の表示部分の位置、画面４５の全体に占める割合等を示す。スマートフォン１は、スライダ６２を縦方向に移動させるジェスチャを検出すると、ジェスチャに応じてスライダ６２の表示位置を変更する。さらに、スマートフォン１は、スライダ６２の表示位置に合わせて画面４５を縦方向にスクロールする（画面４５の表示部分を変更する）。このようにスクロールバー６０を表示することにより、利用者は、第１オブジェクトとして機能する領域４６を誤ってタッチすることなく、スクロール操作を行うことができる。
【００５５】
画面４５の表示部分における第１オブジェクトとして機能する領域４６の割合が高いか否かは、閾値に基づいて判定される。閾値は、表示部分における第１オブジェクトとして機能する領域４６の割合に対する値であってもよいし、表示部分における第１オブジェクトとして機能する領域４６の面積に対する値であってもよい。閾値は、例えば、スクロール操作時に第１オブジェクトに対する誤操作が生じる確率を様々な画面を用いて調査し、誤操作が生じる確率が所定値よりも多い画面における第１オブジェクトとして機能する領域４６の割合を分析することにより予め設定される。閾値は、利用者が調整可能な値であってもよい。
【００５６】
なお、画面４５の表示部分における第１オブジェクトとして機能する領域４６の割合が高くない場合には、スクロールバー６０は表示されない。このため、スマートフォン１は、第１オブジェクトが誤ってタッチされる可能性が低い場合には、より広い領域を使って画面４５を表示し、利用者により多くの情報を提供することができる。
【００５７】
図６を参照しながら、スマートフォン１による表示制御についてより詳細に説明する。図６は、スマートフォン１による表示制御の例を示す図である。スマートフォン１は、ステップＳ１１では、ホーム画面４０をタッチスクリーンディスプレイ２（ディスプレイ２Ａ）に表示している。ホーム画面４０は、スマートフォン１にインストールされているアプリケーションのうち、どのアプリケーションを実行するかを利用者に選択させる画面である。
【００５８】
ホーム画面４０には、複数のアイコン５０が配置されている。アイコン５０は、それぞれ、スマートフォン１にインストールされているアプリケーションと対応付けられている。スマートフォン１は、アイコン５０に対するタップを検出すると、対応するアプリケーションを実行し、アプリケーションが提供する画面をディスプレイ２Ａに表示する。すなわち、ホーム画面４０において、アイコン５０は、第１オブジェクトであり、個々のアイコン５０が表示される領域の周辺の領域は、第１オブジェクトとして機能する領域４６として処理される。
【００５９】
ホーム画面４０は、複数のページを含み、ページ単位でスクロール可能である。このため、ホーム画面４０において、第１オブジェクトとして機能する領域４６の割合が高い場合には、第２オブジェクトとしてスクロールバー６０等を表示する。図６に示す例では、第２オブジェクトは表示されていない。
【００６０】
ステップＳ１１では、利用者の指Ｆ１が、ブラウザアプリケーション９Ｃに対応付けられたアイコン５０をタップしている。スマートフォン１は、アイコン５０に対するタップを検出すると、ブラウザアプリケーション９Ｃを実行し、ブラウザアプリケーション９Ｃが提供する画面を表示する。例えば、スマートフォン１は、ブラウザアプリケーション９Ｃが提供する機能に基づいて、通信ユニット６を用いたインターネット通信によってＷＥＢページを取得し、ＷＥＢページの内容を示す画面をディスプレイ２Ａに表示する。その結果、ステップＳ１２では、図５と同様の画面４５がディスプレイ２Ａに表示されている。画面４５は、上述したようにスクロール可能な画面である。
【００６１】
スマートフォン１は、画面４５の表示部分に含まれる第１オブジェクトを特定する。そして、スマートフォン１は、表示部分における第１オブジェクトとして機能する領域４６、すなわち、特定した第１オブジェクトに対する操作を受け付ける領域を、第１オブジェクトの属性に基づいて算出する。第１オブジェクトの属性には、例えば、フォントサイズ、文字の長さ、画像の大きさ、表示拡大率等が含まれる。スマートフォン１は、画面４５の表示部分における第１オブジェクトとして機能する領域４６の割合が高いかを判定する。ステップＳ１２では、スマートフォン１は、画面４５の表示部分における第１オブジェクトとして機能する領域４６の割合が高いと判定し、第２オブジェクトとして、スクロールバー６０をディスプレイ２Ａに表示している。
【００６２】
ステップＳ１３では、利用者の指Ｆ１が、スクロールバー６０のスライダ６２を下方向に移動させている。スマートフォン１は、タッチスクリーン２Ｂを介して、スライダ６２を下方向に移動させるジェスチャを検出すると、スライダ６２の表示位置を変更しつつ、スライダ６２の表示位置に合わせて画面４５を下方向にスクロールする。
【００６３】
このようにスクロールバー６０を表示することにより、スマートフォン１は、利用者がスクロール操作時に、第１オブジェクトとして機能する領域４６を誤ってタッチしてしまう可能性を低減することができる。
【００６４】
スマートフォン１は、画面４５のスクロール中は、第２オブジェクトを表示している状態、又は第２オブジェクトを表示していない状態を維持する。すなわち、スクロール中に、画面４５の表示部分における第１オブジェクトとして機能する領域４６の割合が変化しても、スマートフォン１は、第２オブジェクトを途中で表示させたり、途中で消したりはしない。
【００６５】
スクロール中とは、画面４５の表示部分が変化している期間、及び画面４５の表示部分を変化させるための操作が継続している期間を意味する。例えば、フリック操作に応じて画面４５がスクロールされる場合、フリック操作が完了した後であっても、フリック操作の速度等に応じて開始された画面４５のスクロールが停止するまでの期間は、「スクロール中」に含まれる。例えば、ドラッグ操作に応じて画面４５がスクロールされる場合、ドラッグ操作中の指の移動が停止し、画面４５のスクロールが停止していても、指のリリースが検出されるまでの期間は、「スクロール中」に含まれる。以下の説明では、「スクロール中の期間が完了する」ことを、「スクロールが完了する」ということがある。
【００６６】
このように、スクロール中は第２オブジェクトを表示している状態、又は第２オブジェクトを表示していない状態を維持することにより、スクロールの途中で可能なスクロール操作が変化して利用者が戸惑う可能性を低減することができる。
【００６７】
さらに、スマートフォン１は、スクロール中に第２オブジェクトを表示している場合、スクロールが完了した後も、所定の時間、第２オブジェクトを表示している状態を維持する。これにより、スマートフォン１は、利用者がスクロール操作を一時的に中断した場合に、同様のスクロール操作を継続して行う機会を利用者に与えることができる。スマートフォン１は、スクロール中に第２オブジェクトを表示していない場合、スクロールが完了した後に画面の表示部分における第１オブジェクトとして機能する領域４６の割合が高くても、所定の時間、第２オブジェクトを表示しない状態を維持してもよい。
【００６８】
ステップＳ１４では、利用者の指Ｆ１が、スクロールバー６０のスライダ６２を下端まで移動させている。このため、スマートフォン１は、画面４５の表示部分を、画面４５の下端部分に変化させた後、変化を停止させている。この段階では、指Ｆ１がまだリリースされていないため、スマートフォン１は、第２オブジェクトを表示している状態を維持している。
【００６９】
その後、指Ｆ１のリリースを検出すると、スマートフォン１は、スクロールが完了したと判定する。そして、スマートフォン１は、画面４５の表示部分における第１オブジェクトとして機能する領域４６の割合が高いかを判定する。ステップＳ１５では、スマートフォン１は、画面４５の表示部分における第１オブジェクトとして機能する領域４６の割合が高くないと判定し、表示している状態を所定の時間維持した後、スクロールバー６０をディスプレイ２Ａから消去している。
【００７０】
画面４５の下端部分では、画像４５ａが第１オブジェクトとして機能する。ステップＳ１５では、利用者の指Ｆ１が、第１オブジェクトとして機能する画像４５ａの領域４６をタップしている。スマートフォン１は、領域４６に対するタップを検出すると、ステップＳ１６に示すように、領域４６に対応する第１オブジェクトに対応付けられた画面７０をディスプレイ２Ａに表示する。画面７０は、画像７１、テキスト７２等の情報を表示している。
【００７１】
画面７０は、スクロール可能な画面ではない。このため、画面７０の表示部分における第１オブジェクトとして機能する領域の割合に関わらず、第２オブジェクトは表示されない。
【００７２】
図７を参照しながら、スマートフォン１による表示制御の処理手順について説明する。図７は、スマートフォン１による表示制御の処理手順の例を示すフローチャートである。図７に示す処理手順は、コントローラ１０が制御プログラム９Ａを実行することによって実現される。図７に示す処理手順は、コントローラ１０がディスプレイ２Ａに画面を表示させるときに実行される。
【００７３】
図７に示すように、スマートフォン１のコントローラ１０は、ステップＳ１０１として、ディスプレイ２Ａに画面を表示させる。この段階で、画面はスクロール中ではない。コントローラ１０は、ステップＳ１０２として、画面がスクロール可能であるかを判定する。画面がスクロール可能な場合（ステップＳ１０２，Ｙｅｓ）、コントローラ１０は、ステップＳ１０３に進む。画面がスクロール可能でない場合（ステップＳ１０２，Ｎｏ）、コントローラ１０は、ステップＳ１１０に進む。
【００７４】
コントローラ１０は、ステップＳ１０３として、画面の表示部分を特定する。そして、コントローラ１０は、ステップＳ１０４として、画面の表示部分における第１オブジェクトとして機能する領域４６の割合を算出する。
【００７５】
続いて、コントローラ１０は、ステップＳ１０５として、画面の表示部分における第１オブジェクトとして機能する領域４６の割合が閾値よりも大きいかを判定する。割合が閾値よりも大きい場合（ステップＳ１０５，Ｙｅｓ）、コントローラ１０は、ステップＳ１０６に進む。
【００７６】
コントローラ１０は、ステップＳ１０６として、第２オブジェクトが表示されているかを判定する。第２オブジェクトが表示されていない場合（ステップＳ１０６，Ｎｏ）、コントローラ１０は、ステップＳ１０７に進む。コントローラ１０は、ステップＳ１０７として、ディスプレイ２Ａに第２オブジェクトを表示させ、その後ステップＳ１１０に進む。コントローラ１０は、所定時間経過後に第２オブジェクトを表示させてもよい。第２オブジェクトが表示されている場合（ステップＳ１０６，Ｙｅｓ）、コントローラ１０は、第２オブジェクトを表示したままで、ステップＳ１１０に進む。
【００７７】
画面の表示部分における第１オブジェクトとして機能する領域４６の割合が閾値よりも大きくない場合（ステップＳ１０５，Ｎｏ）、コントローラ１０は、ステップＳ１０８に進む。コントローラ１０は、ステップＳ１０８として、第２オブジェクトが表示されているかを判定する。第２オブジェクトが表示されている場合（ステップＳ１０８，Ｙｅｓ）、コントローラ１０は、ステップＳ１０９に進む。コントローラ１０は、ステップＳ１０９として、所定の時間経過後に、第２オブジェクトをディスプレイ２Ａから消去し、ステップＳ１１０に進む。第２オブジェクトが表示されていない場合（ステップＳ１０８，Ｎｏ）、コントローラ１０は、第２オブジェクトを表示しないままで、ステップＳ１１０に進む。
【００７８】
コントローラ１０は、ステップＳ１１０として、スクロール操作を検出したかを判定する。例えば、コントローラ１０は、画面がスクロール可能な方向へのフリック又はドラッグを、スクロール操作として検出する。さらに、コントローラ１０は、第２オブジェクトに対する所定のジェスチャをスクロール操作として検出する。
【００７９】
スクロール操作を検出した場合（ステップＳ１１０，Ｙｅｓ）、コントローラ１０は、ステップＳ１１１に進む。コントローラ１０は、ステップＳ１１１として、検出したスクロール操作に応じた画面のスクロール処理を実行する。コントローラ１０は、画面４５のスクロールが完了すると、ステップＳ１１４に進む。
【００８０】
スクロール操作を検出していない場合（ステップＳ１１０，Ｎｏ）、コントローラ１０は、ステップＳ１１２に進む。コントローラ１０は、ステップＳ１１２として、第１オブジェクトに対する所定のジェスチャを検出したかを判定する。
【００８１】
第１オブジェクトに対する所定のジェスチャを検出した場合（ステップＳ１１２，Ｙｅｓ）、コントローラ１０は、ステップＳ１１３に進む。コントローラ１０は、ステップＳ１１３として、第１オブジェクトに対応付けられた画面をディスプレイ２Ａに表示させる。画面を表示させた後、コントローラ１０は、図７に示す処理手順を終了する。第１オブジェクトに対する所定のジェスチャを検出していない場合（ステップＳ１１２，Ｎｏ）、コントローラ１０は、ステップＳ１１４に進む。
【００８２】
コントローラ１０は、ステップＳ１１４として、画面を閉じるかを判定する。例えば、コントローラ１０は、画面を閉じるための操作を検出した場合に、画面を閉じると判定する。画面を閉じると判定した場合（ステップＳ１１４，Ｙｅｓ）、コントローラ１０は、ステップＳ１１５に進む。コントローラ１０は、ステップＳ１１５として、表示している画面を閉じて、図７に示す処理手順を終了する。画面を閉じると判定しない場合（ステップＳ１１４，Ｎｏ）、コントローラ１０は、ステップＳ１０２へ戻る。
【００８３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００８４】
例えば、図４に示した各プログラムは、複数のモジュールに分割されていてもよいし、他のプログラムと結合されていてもよい。
【００８５】
上記の実施形態では、タッチスクリーンを備える電子機器の例として、スマートフォンについて説明したが、添付の請求項に係る電子機器は、スマートフォンに限定されない。添付の請求項に係る電子機器は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。添付の請求項に係る電子機器は、据え置き型の電子機器であってもよい。据え置き型の電子機器は、例えば、デスクトップパソコン、自動預入支払機（ＡＴＭ）、及びテレビ受像器を含むが、これらに限定されない。
【００８６】
上記の実施形態では、スマートフォン１は、スクロール可能な画面の表示部分における第１オブジェクトとして機能する領域４６の割合が閾値よりも高い場合に、第２オブジェクトを表示する場合について説明した。しかし、第２オブジェクトを表示する条件は、これに限定されない。例えば、スマートフォン１は、第１オブジェクトとして機能する領域４６の割合に関わらず、スクロール可能な画面の表示部分に第１オブジェクトが含まれている場合に、第２オブジェクトを表示してもよい。あるいは、スマートフォン１は、スクロール可能な画面の表示部分のうち、スクロール操作で利用される可能性が高い領域に第１オブジェクトが含まれる場合に、第２オブジェクトを表示するように構成されてもよい。あるいは、スマートフォン１は、スクロール可能な画面の表示部分のうち、スクロール操作で利用される可能性が高い領域における第１オブジェクトとして機能する領域４６の割合が閾値よりも高い場合に、第２オブジェクトを表示するように構成されてもよい。スクロール操作で利用される可能性が高い領域は、例えば、利用者の利き手に近い側の所定の大きさの領域である。
【００８７】
上記の実施形態では、スマートフォン１は、スクロール中に第２オブジェクトを表示している場合、スクロールが完了した後も、所定の時間、第２オブジェクトを表示している状態を維持する。しかしながら、スマートフォン１は、スクロールが完了した場合、表示部分における第１オブジェクトとして機能する領域４６の割合が高くない場合、直ちに、第２オブジェクトを消去してもよい。
【００８８】
上記の実施形態では、スマートフォン１は、第２オブジェクトとして、スクロールバー６０を画面４５の右側に表示する例について説明したが、第２オブジェクトを表示する位置は、これに限定されない。スマートフォン１は、例えば、第２オブジェクトを画面４５の中央付近、又は、左側等に表示してもよい。
【００８９】
上記の実施形態では、スマートフォン１は、第２オブジェクトがスクロールバー６０である例について説明したが、第２オブジェクトは、スクロールバー６０に限定されない。図８は、第２オブジェクトの第１の変形例を示す図である。図８に示す例では、第２オブジェクトは、画面４５の右上及び右下に表示されたボタン６０Ａ及び６０Ｂである。スマートフォン１は、画面４５がスクロール可能であり、その表示部分における第１オブジェクトとして機能する領域４６の割合が高い場合に、ボタン６０Ａ及び６０Ｂをディスプレイ２Ａに表示する。ボタン６０Ａは、画面４５を上方向へスクロールさせるためのボタンである。ボタン６０Ｂは、画面４５を下方向へスクロールさせるためのボタンである。
【００９０】
スマートフォン１は、ボタン６０Ａ又はボタン６０Ｂに対するタップを検出すると、画面４５を上方向又は下方向に所定の移動量だけスクロールする。スマートフォン１は、ボタン６０Ａ又はボタン６０Ｂがロングタッチを検出すると、リリースを検出するまで、画面４５を上方向又は下方向にスクロールする。
【００９１】
ボタン６０Ａ及び６０Ｂが配置される画面４５の位置は、図８に示す例に限定されない。ボタン６０Ａ及び６０Ｂは、画面４５上の任意の位置に配置されてよい。ボタン６０Ａ及び６０Ｂは、利用者の操作（例えば、ドラッグ、又はロングタッチ後のドラッグ）に応じて画面４５上で移動してもよい。
【００９２】
上記の実施形態では、画面が縦方向にスクロールする例について説明したが、画面のスクロール方向は、これに限定されない。例えば、画面が横方向又は任意の方向にスクロール可能であっても、画面の表示部分における第１オブジェクトとして機能する領域４６の割合が高い場合には、スマートフォン１は、第２オブジェクトを表示してよい。
【００９３】
図９は、第２オブジェクトの第２の変形例を示す図である。図９に示す例では、第２オブジェクトは、スクロールバー６０及び６０Ｃである。図９に示す例では、画面４５は、任意の方向にスクロール可能な画面である。スクロールバー６０は、図５と同様の縦方向のスクロールバーである。スクロールバー６０Ｃは、画面４５の横方向へのスクロールバーである。スクロールバー６０Ｃは、スライダ６２Ｃを含む。スライダ６２Ｃは、画面４５の表示部分の横方向における位置、画面４５の横方向全体に占める割合等を示す。スマートフォン１は、スクロールバー６０Ｃのスライダ６２Ｃを横方向に移動させるジェスチャを検出すると、スライダ６２Ｃの表示位置を変更しつつ、スライダ６２Ｃの表示位置に合わせて画面４５を横方向にスクロールする。
【００９４】
上記の実施形態では、第２オブジェクトを不透明なオブジェクトとして図示したが、第２オブジェクトの表示態様は、これに限定されない。第２オブジェクトは、一部又は全体が透明であってもよい。第２オブジェクトの一部又は全体を透明にすることにより、画面の視認性を向上させることができる。
【００９５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９６】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｚ  設定データ
１０  コントローラ
１１  スピーカ
１２、１３  カメラ
１４  コネクタ
１５  加速度センサ
１６  方位センサ
１７  ジャイロスコープ
２０  ハウジング
４０  ホーム画面
４５  画面
４６  領域
５０  アイコン
６０  スクロールバー
７０  画面
【図１】
2014164719.tif 000003
【図２】
2014164719.tif 000004
【図３】
2014164719.tif 000005
【図４】
2014164719.tif 000006
【図５】
2014164719.tif 000007
【図６】
2014164719.tif 000008
【図７】
2014164719.tif 000009
【図８】
2014164719.tif 000010
【図９】
2014164719.tif 000011